(57)【要約】  【課題】簡単な構成によって嫌気性消化槽内の浮上夾雑物を全て槽外へ除去できる方法及び装置を提供する。  【解決手段】嫌気性消化槽１内の消化すべき処理水Ｓの表面に、上端開放の箱状体であって側壁2Dが堰であり且つ内部が槽１外と連通した小堰体２を設置する。処理水Ｓの表面に前記小堰体２ヘ向かう水流Ｆを形成し、処理水Ｓの表面の浮上夾雑物14を水流Ｆにより小堰体２を介して消化槽１外へ全て排出する。好ましくは、処理水Ｓの表面水位を小堰体２の内壁2Dの堰の高さに合わせるための水位調整手段15を設ける。  【選択図】        図１
2005205327.tif 000002
【特許請求の範囲】
【請求項１】
嫌気性消化槽内の消化すべき処理水の表面に、上端開放の箱状体であって側壁が堰であり且つ内部が槽外と連通した小堰体を置き、前記処理水の表面に前記小堰体ヘ向かう水流を形成し、処理水表面の浮上夾雑物を水流により前記小堰体を介し消化槽外へ流出させてなる嫌気性消化槽内の浮上夾雑物の除去方法。
【請求項２】
請求項１の除去方法において、前記小堰体を嫌気性消化槽内の所定高さ部位に取付け、前記消化槽の処理水の表面水位を前記小堰体の側壁の堰の高さに調整してなる嫌気性消化槽内の浮上夾雑物の除去方法。
【請求項３】
請求項１又は２の除去方法において、前記小堰体ヘ向かう水流を、前記槽の内周面上で、前記所定高さ部位の前記小堰体から離れた部位から前記小堰体へ向かう供給水の送出により形成してなる嫌気性消化槽内の浮上夾雑物の除去方法。
【請求項４】
請求項３の除去方法において、前記水流を、前記槽の内周面上の複数部位から前記小堰体へ向かう複数条の供給水の送出により形成してなる嫌気性消化槽内の浮上夾雑物の除去方法。
【請求項５】
請求項１から４の何れか除去方法において、前記小堰体を越流して消化槽外へ流出した越流水から固液分離装置により固体分を除去し、固体分除去後の前記越流水を消化槽へ戻してなる嫌気性消化槽内の浮上夾雑物の除去方法。
【請求項６】
請求項１から５の何れかの除去方法において、前記小堰体を頂面開放の箱体としてなる嫌気性消化槽内の浮上夾雑物の除去方法。
【請求項７】
請求項６の除去方法において、前記小堰体の上端縁の一部又は全部に鋸歯状突出部群を設けてなる嫌気性消化槽内の浮上夾雑物の除去方法。
【請求項８】
請求項６の除去方法において、前記小堰体の上端縁の一部又は全部に円弧状突出部群を設けてなる嫌気性消化槽内の浮上夾雑物の除去方法。
【請求項９】
請求項１から８の何れかの除去方法において、前記小堰体ヘ向かう水流を、前記槽の内周面上で、前記所定高さ部位の前記小堰体から離れた部位に前記小堰体へ向けて設けた１個以上の散水部からの斜め下向き噴出により形成してなる嫌気性消化槽内の浮上夾雑物の除去方法。
【請求項１０】
請求項９の除去方法において、前記小堰体ヘ向かう水流に、前記消化槽の頂壁から槽内の処理水表面への水流を含めてなる嫌気性消化槽内の浮上夾雑物の除去方法。
【請求項１１】
嫌気性消化槽内部の所定高さ部位に取付けた上端開放の箱状体であって側壁が堰である小堰体、小堰体の内部を前記消化槽外部へ連通する越流水流路、前記消化槽の内周面上において、前記所定高さ部位の前記小堰体から離れた部位に取付けた散水部、及び供給水を前記散水部へ送る送水手段を備えてなる嫌気性消化槽内の浮上夾雑物の除去装置。
【請求項１２】
請求項１１の除去装置において、前記散水部を、前記小堰体へ向かう方位で下向きに取付けてなる嫌気性消化槽内の浮上夾雑物の除去装置。
【請求項１３】
請求項１２の除去装置において、前記散水部を、水平に対し俯角30度から60度の範囲に取付けてなる嫌気性消化槽内の浮上夾雑物の除去装置。
【請求項１４】
請求項１１から１３の何れかの除去装置において、前記散水部を、前記槽の内周面上に、前記所定高さ部位の前記小堰体から離れた複数の部位にそれぞれ取付けた複数の散水部としてなる嫌気性消化槽内の浮上夾雑物の除去装置。
【請求項１５】
請求項１１から１４の何れかの除去装置において、前記散水部に、前記槽の頂壁内面へ下向きに取付けた散水部を含めてなる嫌気性消化槽内の浮上夾雑物の除去装置。
【請求項１６】
請求項１１から１５の何れかの除去装置において、前記槽内の処理水表面を前記堰の高さ又は前記堰の高さ以下に調整する水位調整手段を設けてなる嫌気性消化槽内の浮上夾雑物の除去装置。
【請求項１７】
請求項１１から１６の何れかの除去装置において、前記消化槽外へ流出させた越流水を固体分と処理水とに分離する固液分離装置、前記分離後の固体分を除去する固体分除去通路、及び前記分離後の処理水を前記消化槽へ戻す流路を設けてなる嫌気性消化槽内の浮上夾雑物の除去装置。
【請求項１８】
請求項１１から１７の何れかの除去装置において、前記小堰体を頂面開放の箱体としてなる嫌気性消化槽内の浮上夾雑物の除去装置。
【請求項１９】
請求項１８の除去装置において、前記小堰体の上端縁の一部又は全部に鋸歯状突出部群を設けてなる嫌気性消化槽内の浮上夾雑物の除去装置。
【請求項２０】
請求項１８の除去装置において、前記小堰体の上端縁の一部又は全部に円弧状突出部群を設けてなる嫌気性消化槽内の浮上夾雑物の除去装置。
【発明の詳細な説明】
【技術分野】
【０００１】
本発明は嫌気性消化槽内の浮上夾雑物の除去方法及び装置に関し、とくに密閉した嫌気性消化槽内で消化処理すべき有機性廃水や有機性廃棄物のスラリー液等（以下、これらを纏めて処理水という。）の液面上に浮ぶスカム、包装用ビニール等の異物、難生物分解性の繊維質等の浮上夾雑物を除去する方法及び装置に関する。
【背景技術】
【０００２】
図５は、特許文献１が開示する生ごみのエネルギー回収システムで用いる嫌気性消化槽の一例を示す。バイオリアクターである嫌気性消化槽21は、消化微生物が担持された濾床22を有する。例えば生ごみ等をスラリー化した処理水（スラリー）Ｓを取り入れ、循環ポンプ23によりスラリーＳを濾床22に繰り返し通して微生物と反復接触させることにより所要の消化を行う。この例では、消化過程で生じるバイオガスＧを、メタン精製装置26で精製のうえ燃料電池等の燃料ガスとして使用する。図示例の場合、温水発生源でもある燃料電池を排熱源30としてスラリー循環路中の熱交換器24へ接続し、濾床22を反復通過するスラリーＳの加熱に供する。消化後の処理水（スラリー）Ｓを、溢流液Ｅとして二次処理装置25へ送り、例えば下水放流可能な処理済水と固形コンポスト材料等の固形物とに分離する。
【０００３】
図示例の嫌気性消化槽21で生ごみや畜産糞尿等の処理水Ｓを処理する場合、スカム等の浮上性夾雑物、廃棄物の混入異物であるビニール類、難生物分解性の繊維質等（以下、これらを纏めて浮上夾雑物ということがある。）が消化槽21内の処理水Ｓ表面に生じることがある。浮上夾雑物は、蓄積すると消化槽21の有効容積の減少や閉塞の原因となるので、除去する必要がある。ただし、嫌気性消化槽21は密閉された嫌気又は無酸素環境中で有機物を消化するので、浮上夾雑物を除去するために消化槽21の密閉を一旦解除すると、空気中の酸素が嫌気性消化槽21内に流入して消化槽21内の嫌気性微生物の活性が低下するおそれがある。微生物の活性低下が著しい場合は再立上げが必要となり、多大の労力と時間とが浪費される。このため、嫌気性消化槽21では嫌気又は無酸素環境を維持したまま浮上夾雑物を除去することが求められる。
【０００４】
特許文献２は、消化槽の密閉を解除せずに浮上夾雑物を除去できる構造を記載する。即ち、嫌気性消化槽内の処理水表面の上方に、浮上夾雑物が流入できる開口部を上端に有する伸縮可能な配管と、配管の下端に連なり消化槽の外へ延びる排出管とからなるオーバーフロー式のスカム取出部材を設ける。常時は、取出部材の開口部を消化槽頂壁に固定する留め具によって処理水表面の上方に保持する。浮上夾雑物を排出する時に、留め具による開口部の保持を解除すると共に開口部を処理水表面に押し込むように下降させ、スカムを開口部に流れ込ませて排出管経由で消化槽外へ排出する。
【０００５】
また特許文献３は、図６に図式的に示すような嫌気性消化槽21内のスカム生成防止方法を提案している。嫌気性消化槽21の上端にくびれ部分27を形成し、くびれ部分27を覆うようにスカム生成防止溢出機構28を設置する。スラリーＳの消化過程がスカムを発生させる段階に達する前に、嫌気性消化槽21の上端からスラリーＳを溢出させ、スカム生成防止溢出機構28がスラリーＳを嫌気又は無酸素環境下で次の消化過程へ移すことにより、嫌気性消化槽21でのスカムの生成を防止する。
【０００６】
更に特許文献４は、処理対象液（処理水）を酸生成槽に通してpHを微生物活性化に適した値に調整した上でメタン発酵槽へ送り、メタン発酵槽内の処理水の頂部に、気固液分離装置と、スカム抜取りライン先端開口と、それに近接する散気ガス送出部（散気管）とを並置することを提案する。スカム抜取りライン先端開口と散気ガス送出部とを近接させることにより、スカムの抜取りを容易にする。スカム抜取りライン先端開口が処理水頂部のスカムを抜き取って油脂分解槽へ送り、その分解生成物を酸生成槽に送って処理水に加える。気固液分離装置は、メタン発酵槽での処理後の液から気体成分を、発酵槽頂部の空間を経て外部へ送出し、液体成分を処理済液として処理水の頂部から流出させ、固体成分をグラニュ−ル汚泥としてメタン発酵槽の底部に戻す。
【０００７】
【特許文献１】特許第３０６４２７２号
【特許文献２】特開２０００−２１０６９３号
【特許文献３】特開２００２−０１８３９８号
【特許文献４】特開２００２−１５３８９７号
【発明の開示】
【発明が解決しようとする課題】
【０００８】
しかし、特許文献２の浮上夾雑物の排出構造は、開口部が下降する部位近傍の処理水表面の浮上夾雑物は除去できるものの、開口部から離れた部位の浮上夾雑物を除去することが難しい問題点がある。また、浮上夾雑物を排出しない時に開口部を処理水表面の上方に保持する留め具を必要とするので、部品数が多く構造が複雑であるという問題点もある。
【０００９】
特許文献３の提案は、確かにスカムの生成を一定範囲内で防止するが、嫌気性消化槽21の上端のくびれ部分27と、それを覆うスカム生成防止溢出機構28とからなる複雑な構造を必要とする。とくにスカム生成防止溢出機構28の出口は狭いので、一旦スカムが発生すると閉塞が生じ易いという問題点がある。
【００１０】
特許文献４のスカム除去方法も、スカムを抜き取る箇所がスカム抜取りライン先端開口（実施例では２ヶ所）に限られ、平面的な広さのある抜取口によるものではないので、従来技術と同様に抜取りラインの先端開口から離れた部位の浮上夾雑物を除去することが難しい。このため、残留スカムに起因するメタン発酵槽の有効容積の減少や閉塞のおそれを完全には解決できていない。また、酸生成槽とスカム中の油脂処理用の油脂分解槽とを必須とするので、装置が大がかりで構造が複雑となる問題点もある。
【００１１】
そこで本発明の目的は、簡単な構成によって嫌気性消化槽内の浮上夾雑物を全て槽外へ除去できる方法及び装置を提供することにある。
【課題を解決するための手段】
【００１２】
本発明者は、上記目的を達成するため実験研究を重ねた結果、嫌気性消化槽内の処理水の表面に、側壁が堰として作用する上端開放の底付き箱状体（以下、小堰体という。）を置き、小堰体の内部を消化槽の外に連通させ、処理水の表面に小堰体へ向かう水流を形成すれば、処理水の表面に浮上し得る夾雑物を水流によって小堰体経由で全て槽外へ排除できるとの着想を得た。
【００１３】
図１を参照するに、本発明による嫌気性消化槽内の浮上夾雑物の除去方法は、嫌気性消化槽１内の消化すべき処理水Ｓの表面に、上端開放の箱状体であって側壁が堰であり且つ内部が槽外と連通した小堰体２を置き、処理水Ｓの表面に小堰体２へ向かう水流Ｆ（図２参照）を形成し、処理水Ｓの表面の浮上夾雑物14を水流Ｆにより小堰体２を介し消化槽１外へ流出させる。
【００１４】
また図１を参照するに、本発明による嫌気性消化槽内の浮上夾雑物の除去装置は、嫌気性消化槽１の内部の所定高さ部位に取付けた上端開放の箱状体であって側壁が堰である小堰体２、小堰体２の内部を消化槽１外部へ連通する越流水流路３、消化槽１の内周面上においての前記所定高さ部位の小堰体２から離れた部位に取付けた散水部（例えば、散水ノズル）５、及び消化槽１内の処理水Ｓ等の供給水を散水部５へ送る送水手段（例えば、散水ポンプ）９を備えてなるものである。
【発明の効果】
【００１５】
本発明の嫌気性消化槽内の浮上夾雑物の除去方法及び装置は、槽内の消化すべき処理水の表面に小堰体を置き、処理水表面に小堰体へ向けて形成した水流により浮上夾雑物を、前記小堰体を介し消化槽外へ流出させるので、次の顕著な効果を奏する。
【００１６】
（イ）小堰体の設置とその小堰体へ向かう水流の形成という簡単な手段により、嫌気性消化槽内の浮上夾雑物の全てを、嫌気又は無酸素環境を維持したまま迅速に槽外へ排出することができる。
（ロ）小堰体へ向かう水流を嫌気性消化槽内の処理水の循環によって形成できるので、外部供給水を導入しなくてもよく、槽内の嫌気又は無酸素環境が阻害されるおそれがない。
（ハ）嫌気性消化槽の密閉性を実質上維持したまま、処理水表面の浮上夾雑物を槽外へ取出すことができる。
（ニ）嫌気性消化槽の処理水の表面水位を消化槽の気密性を維持したまま調整して小堰体の堰の高さとレベル合わせすることにより、浮上夾雑物除去を高効率で行うことができる。
（ホ）小堰体の堰機能部分に鋸歯状突出部等の凹凸を設けることにより、浮上夾雑物の種類や量に応じて小堰体の内部への処理水の越流量を調節できる。
【発明を実施するための最良の形態】
【００１７】
図１は、嫌気性消化槽１を水平断面が円形の筒型とし、小堰体２を図３（Ａ）に示すような箱体とした本発明の実施例を示す。図示例の小堰体２は４つの側壁2Dが矩形の堰であり、底部を底板2Lで閉鎖し、頂部を開放したものである。小堰体２は、嫌気性消化槽１の周壁（内周面）の所要高さ、例えば消化処理時の処理水Ｓ表面のレベルに取付けられている。好ましくは、小堰体２の堰として作用する部分、例えば同図（Ａ）の側壁2Dの頂部（典型的には矩形側壁の上端縁）を消化槽１の周壁（内周面）の所要高さ位置に固定し、消化槽１内の処理水Ｓの表面水位が所望の高さ、すなわち小堰体２の側壁2Dの堰の高さ又はこの堰の高さ以下となるよう水位を調整する。
【００１８】
ただし、本発明の嫌気性消化槽１及び小堰体２の構造は図示例に限定されない。例えば、小堰体２を図３（Ｂ）に示すような箱体とし、３方の側壁2Dの頂部を鋸歯状の突出部2Pが設けられた堰とし、残りの側壁2Mを取付け板としてもよい。更に、鋸歯状の突出部2Pに代えて、同図（Ｃ）に示すように円弧形の突出部2Rとしてもよい。これらの突出部2P及び2Rは、処理水Ｓの表面と接触する面積を変化させることにより、小堰体２の内部への処理水Ｓの越流量を調節可能とする。図示例の小堰体２は側壁2Mを消化槽１の内周面に固定するものであるが、小堰体２は消化槽１の内部の所定高さ部位に取付け可能なものであれば足り、嫌気性消化槽１へ固定するものに限定されない。例えば、吊り下げその他適当な方法によって消化槽１内の処理水Ｓの表面に載置するものとしてもよい。
【００１９】
処理水Ｓの表面に小堰体２へ向かう水流を形成するため、消化槽１の水平断面上で小堰体２から離れた消化槽１の周壁（内周面）上の部位に、１個又は複数個の散水部として散水ノズル５を設ける（図２参照）。図示例では、消化槽１の円形断面の直径上で小堰体２と対向する部位に散水ノズル５を取付け、供給水として消化槽１内の処理水Ｓを散水流路６及び送水手段である散水ポンプ９経由でノズル５へ供給し、ノズル５からの処理水Ｓの送出により図２に示すような処理水Ｓの表面の水流Ｆを形成している。ただし、ノズル５の取付け部位や数、及びノズル５への供給水の種類は図示例に限定されない。例えば、他の給水路（図示せず）を介して水道水をノズル５に供給して送出してもよいが、消化槽１内の嫌気又は無酸素環境に影響を及ぼさないように脱気等の処理を施してから供給するのが望ましい。
【００２０】
小堰体２へ向かう水流Ｆは、消化槽１内の処理水Ｓ表面の浮上夾雑物14を押し流すようにして、小堰体２の側壁2Dからなる堰を浮上夾雑物14と共に越えて小堰体２内へ越流する。消化槽１の側壁を貫通し小堰体２の内部へ連通する越流水流路３を介して、小堰体２内の越流水が消化槽１の外へ流出し、図示例では下方に配置された固液分離装置７へ流入する。固体として分離した浮上夾雑物14を固体分除去通路12により外部へ除去する。固体分除去後の液体、即ちこの場合の越流水流路３からの処理水Ｓは、越流水戻り流路４及び越流水ポンプ８によって消化槽１内へ戻される。
【００２１】
図２は３本のノズル５を設けた実施例を示すが、本発明者の実験によれば１本のノズル５からの一条の水流Ｆのみによって、消化槽１内の処理水Ｓの表面の浮上夾雑物14の全てを押し流して小堰体２の内部へ越流させることが可能である。浮上夾雑物14の物性や量に応じてノズル５の数を増減させることもできる。なお、水流Ｆの形成手段は図示例の散水ズル５に限定されず，他の適当な散水部に置き換えることができる。いずれにしても、本発明によれば、嫌気性消化槽１の処理水Ｓの表面に小堰体２を置き、小堰体２に向かう水流Ｆを形成するという簡単な構成によって処理水Ｓ表面の浮上夾雑物14を全て槽１外へ除去することができる。
【００２２】
従って、本発明の目的である「簡単な構成によって嫌気性消化槽内の浮上夾雑物を全て槽外へ除去できる方法及び装置」の提供を達成することができる。
【実施例】
【００２３】
図１の実施例は、消化槽１内の処理水Ｓの表面水位を調整するために、例えば給排水ポンプのような水位調整手段15を有する。浮上夾雑物14の除去の操作に先立って、消化槽１内の処理水Ｓの表面水位を、所定高さ部位に既設の小堰体２の堰の高さ（例えば、図３（Ａ）の側壁2Dの上端縁の高さ）に容易に調整することができる。水位を上げるための水源としては、処理水Ｓの貯留タンク（図示せず）、公共の上水道、その他任意の適当な水源を使うことができる。その際、消化槽１内の嫌気又は無酸素環境に影響を及ぼさないように脱気等の処理を施したものを使用することが望ましい。
【００２４】
小堰体２の大きさ及び形状に格別の制限はないが、消化槽１が直径1,000mm程度の円筒形である場合には200〜300mm四方の方形とすることが望ましい。図１の実施例では、小堰体２の側壁の一つ（図３の取付け板2M）を消化槽１の周壁（内周面）に固定して取付けているが、小堰体２の設置方法は周壁への取付けに限定されない。
【００２５】
処理水Ｓ表面の水流Ｆの流量（散水ノズル５からの散水水量）は、浮上夾雑物14の物性や量に応じて適宜調整可能であるが、消化槽１の直径が1,000mm以上の場合に５リットル／分以上の流量とすれば浮上夾雑物14の迅速な除去が可能であることを本発明者は実験的に見出した。また、消化槽１の直径が2,000mm以上の場合は複数条の水流Ｆ、望ましくは三条以上の水流Ｆを用いると浮上夾雑物14の迅速な除去に効果があることを実験的に見出した。好ましくは、散水ノズル５を処理水Ｓの表面より高いレベル部位に設置し、水平に対する俯角を30度から60度の範囲に設定する。散水ノズル５から常時散水して浮上夾雑物14を連続的に除去してもよいが、小堰体２と散水ノズル５との組み合わせによる浮上夾雑物14の除去効率は非常に高いので、散水ノズル５を１回／週、１回／月等の間欠的運転とした場合、経済的でしかも浮上夾雑物14の効果的な除去を達成することができる。
【００２６】
なお、図示例では越流水ポンプ８と散水ポンプ９との２つの動力を用いているが、越流水ポンプ８又は散水ポンプ９の一方を適当な弁装置（図示せず）を介して散水流路６及び越流水戻り流路４へ接続することにより、一方のポンプを越流水戻し・散水供給兼用とし、他方のポンプを省略してもよい。また、図５に示す循環ポンプ23として越流水ポンプ８又は散水ポンプ９を用いることにより、処理水Ｓを循環させつつ浮上夾雑物14を除去する構成としてもよい。
【００２７】
[実験例１]
図４に示すように、頂壁にも散水部を設けた嫌気性消化槽１により浮上夾雑物14の除去実験を行った。同図に示すように散水流路６に、嫌気性消化槽１の頂壁に連通する分岐散水流路10と切替弁11とを設け、切替弁11の切替接続により散水ノズル５及び頂壁内面に下向きに取付けた散水部（図示せず）へ処理水Ｓを供給した。実験に使用した消化槽１は直径が1,000mmであり、小堰体２として１辺200mmの方形のものを使用した。また本実験では、模擬的な浮上夾雑物14として、直径１〜３mmのパーライトを使用した。
【００２８】
同図に示すように、消化槽１の周壁（内周面）に小堰体２を設け、消化槽１の直径上の小堰体２と対向する部位に取付けた散水ノズル５から処理水Ｓを水平に対する俯角45度で送出し、処理水Ｓの表面の水流Ｆを形成した。本実験により、ノズル５から散水速度５リットル／分で処理水Ｓを散水した場合、約14分で処理水Ｓ表面のパーライトの全量を回収することができた。また、散水速度を7.7リットル／分に高めた場合、パーライトの全量の回収時間を1.5分に短縮することができた。この実験結果から、本発明によれば浮上夾雑物14の全量を迅速に回収できることが確認できた。小堰体２へ向かう水流Ｆに、消化槽１の頂壁の散水部から槽１内の処理水Ｓ表面への供給水の送出を、浮上夾雑物14の物性や量に応じて含めることにより、更に効率的な浮上夾雑物14の除去が期待できる。
【図面の簡単な説明】
【００２９】
【図１】本発明の一実施例の図式的立面図である。
【図２】図１の実施例の図式的平面図である。
【図３】本発明で用いる小堰体の実施例の説明図である。
【図４】本発明の他の実施例の図式的立面図である。
【図５】従来の嫌気性消化槽の構成の説明図である。
【図６】従来の嫌気性消化槽における浮上夾雑物の形成を防止する機構の説明図である。
【符号の説明】
【００３０】
１…嫌気性消化槽          ２…小堰体
2D…側壁                  2L…底板
2M…側壁（取付け板）      2P、2R…突出部
３…越流水流路            ４…越流水戻り流路
５…散水部（散水ノズル）  ６…散水流路
７…固液分離装置          ８…越流水ポンプ
９…送水手段（散水ポンプ）
10…分岐散水流路
11…切替弁                12…固体分除去通路
14…浮上夾雑物            15…水位調整手段
21…嫌気性消化槽          21a…取入れ口
22…微生物濾床            23…循環ポンプ
24…熱交換器              25…二次処理装置
26…メタン精製装置        27…くびれ部
28…スカム生成防止溢出機構
29…ドラフトチューブ      30…排熱源
Ｅ…溢流液                Ｇ…バイオガス
Ｍ…モ−タ                Ｆ…水流
Ｓ…処理水（スラリー等）
【図１】
2005205327.tif 000003
【図２】
2005205327.tif 000004
【図３】
2005205327.tif 000005
【図４】
2005205327.tif 000006
【図５】
2005205327.tif 000007
【図６】
2005205327.tif 000008